(57)【要約】【課題】本発明は、たとえば、オリンピック大会、サッカーワールドカップ、または世界中の祝祭日などの複数の予定イベントを含むイベント関連情報を知らせることができる時計を提供する。【解決手段】本発明は腕時計形式の電子時計に関する。時計は特に、複数の予定イベントのスケジューリングに関するデータを記憶する記憶手段（７）、及びこの記憶データを時間関連情報（ＩＨ２）と比較する比較手段（８）を有する制御回路（６）を備えており、この制御回路は、比較手段から送られた制御信号に応じて１つまたは複数のイベントを指定するインジケータ手段（１０）を作動させる。【選択図】図２
2004061513.tif 000002
【特許請求の範囲】
【請求項１】
　第１時間関連情報（ＩＨ１）を送出する時間基準部（１）と、
　該第１時間関連情報用の第１インジケータ手段（４、２３または５、２２）と、
　互いに関係がある複数の予定イベントに関する同様な非時間関連表示／記号（１１、２５）と、
　前記複数の予定イベントのうちの進行中の１つまたは複数のイベントに関連した幾つかの非時間関連表示／記号を同時に指定することができる第２インジケータ手段（１０、２６、２８）と、
　前記複数のイベントのスケジューリングに関するデータを記憶する記憶手段（７）、及び該記憶データを時間関連情報と比較する比較手段（８）を有する制御回路（６）とを備え、前記比較手段から送られた制御信号に応じて、前記制御回路が前記第２インジケータ手段を作動させるようにしたことを特徴とする電子時計。
【請求項２】
　前記第２インジケータ手段は、それぞれ前記非時間関連表示／記号（２５）の１つに対応した複数の固定インジケータ（２６、２８）によって形成されていることを特徴とする請求項１に記載の電子時計。
【請求項３】
　前記非時間関連表示／記号（２５）は、前記文字盤（２４）の周縁部に配置されており、また、前記固定インジケータは、前記表示／記号と向き合わせてリング状に配置された発光ダイオード（２６）であることを特徴とする請求項２に記載の電子時計。
【請求項４】
　前記非時間関連表示／記号（２５）は、前記文字盤の周縁部に配置されており、また、前記固定インジケータは、前記表示／記号の上方にリング状に配置された複数のセグメント（２８）を含む液晶セルによって形成されていることを特徴とする請求項２に記載の電子時計。
【請求項５】
　前記非時間関連表示／記号（２５）は、取り外し式ベゼル（３１）上に配置されており、また、前記固定インジケータは、前記表示／記号と向き合わせてリング状に配置された発光ダイオード（２６）であることを特徴とする請求項２に記載の電子時計。
【請求項６】
　前記非時間関連表示／記号（２５）は、前記文字盤（２４）の周縁部に配置されており、また、前記第２インジケータ手段は、前記文字盤の上方に配置された液晶セルによって形成されて、前記表示／記号の各々をマスクしたりまたは見えるようにすることができることを特徴とする請求項１に記載の電子時計。
【請求項７】
　前記時間基準部（１）は、第２世界時関連情報（ＩＨ２）を送出し、また、前記複数のイベントは、該第２時間関連情報と関係させてスケジューリングされていることを特徴とする先行の請求項のいずれかに記載の電子時計。
【請求項８】
　さらに、前記複数の予定イベントのうちの１つまたは幾つかのイベントが開始していることをユーザに知らせる告知手段（１２）を備えていることを特徴とする請求項７に記載の電子時計。
【請求項９】
　さらに、前記複数のイベントのスケジューリングに関する前記データのローディング用に外部信号を受信する手段（９）を備えていることを特徴とする先行の請求項のいずれかに記載の電子時計。
【請求項１０】
　前記受信手段（９）は、変調された音響信号を受信する手段であり、また、前記複数のイベントのスケジューリングに関する前記データは、広域コンピュータネットワークの特定サイトからローディングされることを特徴とする請求項９に記載の電子時計。
【請求項１１】
　さらに、前記複数の予定イベントのうちの進行中の１つまたは複数のイベントに対応した前記第２インジケータ手段（２６、２８）を作動させる操作部材（３０）を備えていることを特徴とする先行の請求項のいずれかに記載の電子時計。
【請求項１２】
　さらに、それぞれ各イベントの開始または終了時に、前記複数の予定イベントのうちの進行中の１つまたは複数のイベントに対応した前記第２インジケータ手段（２６、２８）を自動的に作動及び停止させる連続作動モードを含むことを特徴とする請求項１１に記載の電子時計。
【請求項１３】
　さらに、イベントまでの残り時間を表示するカウントダウン手段を備えていることを特徴とする先行の請求項のいずれかに記載の電子時計。
【発明の詳細な説明】
【技術分野】
【０００１】
　本発明は、たとえば、オリンピック大会、サッカーワールドカップ、さらには世界中の祝祭日などの複数の予定イベントを含むイベントに関連した情報を供給する、腕時計形式の電子時計に関する。
【背景技術】
【０００２】
　従来技術では、円形の時計ケース１０１、円形ベゼル１０２及びガラス蓋を備え、ガラス蓋をベゼルで固定している図１に示された腕時計が周知である（たとえば、特許文献１参照）。文字盤１０４は、時計ガラス蓋の下側に位置して、切頭形フランジ１０５によって保持されており、フランジ１０５に「１」〜「１２」の時間が記されている。文字盤１０４の中心に設けられた開口に、針を担持している４つのアーバーが挿通しており、そのうちの最外側のアーバー１０６だけが図示されている。アーバーは、文字盤１０４の下側に配置された図示しない時計ムーブメントに接続されている。４つのアーバーの各々が４本の針、すなわち、時針１０７、分針１０８、秒針１０９、及び反時計回り方向に回転する追加針１１０のうちの１本を担持している。
【０００３】
　ベゼル１０２は１２分割されており、各部分に月の１つが表示されている。１月の表示は１１時と１２時との間に位置し、２月の表示は１０時と１１時との間に位置し、それが１２時と１時の間に位置する１２月の表示まで続いている。
【０００４】
　追加針1１０は、時計ムーブメントによって駆動されて、ほぼ毎週１段階の割合の移動に対応する５２位置を通って１年で文字盤４を１回転する。
【０００５】
　文字盤１０４上には、１９９９年フォーミュラ・ワン・シーズンの１７のグランプリレースに対応した１７の日付が、グランプリが開催される国と共に示されている。国に関するさまざまな表示が、文字盤１０４の周縁部に日付と向き合わせて半径方向に記されており、日付関連表示は、やはり文字盤の周縁部上に示された空間に記されている。
【０００６】
　したがって、グランプリが開催される週の間、追加針１１０が国及び日付を表示する。したがって、ユーザは、表示されている日付に対応する日付の日であるかどうかを調べて、グランプリがその日に開催されているかどうかを知ることができ、フォーミュラ・ワングランプリは常に日曜日に開催されるので、ユーザは曜日も調べることができる。この種類の情報には、追加針1１０によって与えられる表示が、１週間以内の精度であれば十分である。
【０００７】
　１１月から２月までにはグランプリが開催されないので、文字盤１０４のこの扇形部分は、「フォーミュラ・ワン１９９９」を記すことができるように、空欄になっている。
【０００８】
　時計ケース１０１は、特に時間設定用に３時の位置に配置された竜頭１１１と、追加針１１０を正確な日付に設定するために２時の位置に配置された押しボタン１１２とを備えている。
【０００９】
　しかし、この形式の時計には幾つかの欠点がある。まず、追加針が、たとえば、イベントの場所に関するマークに対応する時間表示を行うことに注意することが重要である。したがって、追加針の位置は、日付だけ、さらに正確に言えば、進行中の曜日だけによって決まる。このため、追加針は、１つのマーク、たとえば、国を確実に表示できるだけである。したがって、幾つかの同時イベントの表示も、開催中のイベントに関する同様な幾つかの表示も行うことができない。
【００１０】
　追加針の位置と進行中の週との間に直接的な対応関係がある場合、幾つかの追加針を使用するという着想には利点がない。２つの追加針によって２つのイベントを表示することができるように、それらが異なった時間表示を行うことが必要であろうが、その場合には読取りがほぼ不可能になるであろう。
【００１１】
　さらに、追加針は、１週間以内にイベントが始まることを表示するだけであることにも注意されたい。その場合、ユーザは、追加針によって表示された日付をその日の日付と比較して、表示されたイベントの実際の開始時間を調べなければならない。調べようとするとき、たとえば、ユーザが、テレビの実況中継放送を観るために表示イベントの開始時間を知りたいとすると、ユーザが居る場所でのイベントの開始時間がわからなければならない。これには、開催国でのイベントの開始時間と、ユーザが居る場所とがわかる必要がある。したがって、イベントの始まりに関する正確な情報を得るためにこの時計を使用することは、あまり容易ではない。
【００１２】
　最後になるが、そのような時計は、１回のフォーミュラ・ワン・シーズンに使用できるだけである。実際に、年毎に各グランプリの日付が変化し、スケジュール表の日程にも、一定のグランプリの追加または削除と共に、ある程度の変更があるであろう。
【００１３】
【特許文献１】ドイツ特許第ＤＥ１９９　１１　００８号
【特許文献２】欧州特許出願公開第０９８４３４２Ａ１号
【特許文献３】国際特許出願公開第ＷＯ　０１／０９６８９号
【特許文献４】欧州特許出願公開第０１２０１２７１．２号
【発明の開示】
【発明が解決しようとする課題】
【００１４】
　従って、本発明の目的は、複数の同時イベントを正確に表示することができる時計を提供することである。
　本発明に従った電子時計は、上記欠点を解決できることを特徴とする。
【課題を解決するための手段】
【００１５】
　したがって、本発明は、特に、
　第１時間関連情報を送出する時間基準部と、
　この第１時間関連情報用の第１インジケータ手段と、
　互いに関係がある複数の予定イベントに関する同様な非時間関連表示／記号と、
　複数の予定イベントのうちの進行中の１つまたは複数のイベントに関連した幾つかの非時間関連表示を同時に指定することができる第２インジケータ手段と、
　複数のイベントのスケジューリングに関するデータを記憶する記憶手段、及びこの記憶データを時間関連情報と比較する比較手段を有する制御回路とを備えており、比較手段から送られた制御信号に応じて、制御回路が第２インジケータ手段を作動させるようにした電子時計に関する。
【００１６】
　本発明の１つの実施態様によれば、電子時計は、時間基準部が、時間帯に関係ない第２時間関連情報を送出することと、複数のイベントが、この第２時間関連情報に応じてスケジューリングされることとを特徴としている。
【００１７】
　本発明の別の実施態様によれば、電子時計は、広域コンピュータネットワークの特定サイトから複数のイベントのスケジューリングに関するデータをダウンロードするために、時計基準部がさらに外部信号用の受信手段を備えていることを特徴とする。
【発明を実施するための最良の形態】
【００１８】
　次に、添付図面に示された、単なる例として与えられている実施形態によって本発明を以下に詳細に説明する。
【００１９】
　図２は、本発明の好適な実施形態に従った電子時計の概略図である。時計は特に、水晶発振器２と、時間信号発生器と組み合わされて第１ＩＨ１及び第２ＩＨ２時間関連情報を送出するユニット３を形成する周波数分周チェーンとを備えている。第１時間関連情報ＩＨ１は、時計のユーザが居る地方時に対応する。第２時間関連情報ＩＨ２は、ＧＭＴ時（グリニッジ子午線時）または「インターネット時」などの世界時関連情報に対応している。これに関連して、スオッチ・エー・ジー(Swatch AG)の名前で出願された「１０進システムに基づいた時間表示を有する電子時計(Electronic Timepiece comprising a time indication based on a decimal system)」と題する欧州特許出願公開第０９８４３４２Ａ１号が、特に、その出願の図４〜図６に示された、「インターネット時」とも呼ばれる１０進システムに基づいて世界時関連情報を発生する手段に関して、参考として本明細書に援用される。
【００２０】
　第１時間関連情報ＩＨ１は、液晶ディスプレイ４（ＬＣＤ）及び／または時、分、恐らくは秒も表示する針によるアナログディスプレイ５などのディスプレイ手段へ送られる。
【００２１】
　時計はまた、特に複数の予定イベントに関連したデータを格納することができるメモリ７と、入力部に第２時間関連情報ＩＨ２を受け取ってメモリ記憶データと比較する比較手段８とを有する制御回路６を備えている。メモリ７に記憶されている複数の予定イベントに関するデータは、各イベントに対して、世界時方式、ＧＭＴまたはインターネット時でのイベントの開始時や、そのイベントに関する表示を含む。
【００２２】
　記憶データは、メモリ７内に事前にプログラムすることもできるが、好ましくは、音響受信器または従来型の無線または赤外線受信器９などによって広域コンピュータネットワークのサイトからダウンロードすることが望ましい。
【００２３】
　音響受信器の作動詳細は特に、本件の出願人の名前で出願された国際特許出願公開第ＷＯ　０１／０９６８９号に記載されており、この出願は、特にその出願の図３に示された音響信号変換回路の回路図に関して、参考として本明細書に援用される。
【００２４】
　データを広域コンピュータネットワークサイトからダウンロードするためにそのような音響受信器を使用することについては、スオッチ・エー・ジー(Swatch AG)の名前で出願された「広域コンピュータネットワークで入手可能な情報及び／またはデータにアクセスできるようにする方法及びシステム(Method and System for allowing access to information and/or data available on a wide computer network)」と題する欧州特許出願公開第０１２０１２７１．２に詳述されている。この出願は、特にその出願の図１に示された情報及び／またはデータにアクセスするシステム及び関連のアクセス方法に関して、参考として本明細書に援用される。
【００２５】
　一般的に、複数の予定イベントに関するデータは、メモリ７にダウンロードできるファイルの形で集められており、このファイルは、パートナーサイト又は複数のイベントにリンクされたサイトで入手可能である。
【００２６】
　比較手段８は、第２時間関連情報ＩＨ２をメモリに記憶されている各イベントの開催時と比較して、一致した場合、時計文字盤上に付けられた表示／記号１１（Ｄ１・・・Ｄ６）に向き合わせて配置されたインジケータ手段１０を作動させる。一致が見られて、１つまたは複数のイベントの始まりを表示するとき、たとえば、圧電結晶１２によって形成された告知手段を比較手段８で作動させることによって、ユーザに知らせるように構成することもできる。
【００２７】
　図３Ａ及び図３Ｂは、本発明の第１実施形態に従った第１及び第２変形例を示し、複数の予定イベントは、オリンピック大会中に行われる、種目別に集められたさまざまな競技に関する。この複数のイベントに関するデータは、時計メモリ内に事前プログラムまたはダウンロードされる。
【００２８】
　図３Ａに示された第１変形例によると、時計２１は、アナログディスプレイ手段２２及び／または、たとえば、ＬＣＤ形式のデジタルディスプレイ手段２３を含む時間インジケータ手段を備えている。さらに、時計の文字盤２４は、複数のイベントに関する同様の非時間関連記号２５を含み、これらの記号２５は好ましくは、文字盤２４の周縁部に配置されている。この第１実施形態では、これらの記号は、オリンピック大会のさまざまなスポーツ種目を表している。
【００２９】
　文字盤２４はまた、種目を表す記号２５に向き合わせて環状に設けられた固定インジケータ手段２６も有する。これらのインジケータ手段は、たとえば、白丸または黒丸の形で示した発光ダイオードすなわちＬＥＤにすることができる。白丸は、対応の発光ダイオードがオフである、すなわち消勢されていることを表し、反対に、黒丸は、対応の発光ダイオードがオンである、すなわち励起されていることを表す。
【００３０】
　文字盤２４にはさらに、たとえば、オリンピック大会などの大きいイベントの範囲内で互いに結びつけられる複数の予定イベントの開始または終了までの日数及び残り時間などのデータを提供することができるデジタルディスプレイ手段２７を備えることができる。特定の実施形態では、時計は、無線アンテナと、アンテナで受信した信号を処理する手段とを備えており、その場合、追加のデジタルディスプレイ手段２７を使用して、たとえば、イベントが行われている場所や進行中のイベントの得点の変化などの、無線伝送によって得られるデータを表示することができる。
【００３１】
　図３Ａに示された第１変形例では、メモリの内容及び内部回路によって計算された世界時に応じて、ユーザの地理的位置の地方時に関係なく、進行中の種目の記号２５に対応したインジケータ手段２６が作動して、黒丸になることがわかるであろう。実際に、メモリ内に記憶されている複数の予定イベントに関するデータは、情報として、世界時、たとえば、インターネット時に従った各イベントの始まりを含み、時計は、イベントの始まりを定めるために使用されたものと同じ形式の世界時関連情報を発生する時間基準部を備えている。したがって、２つの情報の比較は、ユーザの地理的位置での地方時に左右されない。
【００３２】
　図３Ｂに示された第１実施形態の第２例によれば、時計２１は、デジタル時間ディスプレイ手段２３を備えている。図３Ａの第１変形例の記号と異なって、文字盤２４は、複数のイベントに関する同様な非時間関連表示２５を有する。これらの表示２５は、好ましくは文字盤２４の周縁部に配置されている。これらの表示は、本例では、さまざまなオリンピック大会の種目を表している。それ以外では、同じ部材が用いられており、特に好ましくは、種目を表す表示２５に向き合わせて固定インジケータ手段２６が円に沿って配置されている。
【００３３】
　図４は、本発明に従った第２実施形態を示し、複数の予定イベントは、ワールドカップなどの国際競技に参加しているさまざまな国に関する。そのような競技の試合はすべて事前にわかっているので、すべての試合に関する情報、すなわち、各試合の世界時や対戦するチーム名と共に、恐らくは試合の場所などの他の情報も事前プログラムされるか、広域コンピュータネットワークのサイトからダウンロードされる。一定のチームが敗退した後の試合に関しては、行われる残りの試合を見つけるために、先の試合の結果をダウンロードするか、入力することができる。
【００３４】
　時計３１は、たとえば、ＬＣＤ形式の時間インジケータ手段２３を備えている。時計の文字盤２４は、複数のイベントに関する同様の非時間関連表示２５を含む。この第２実施形態では、これらの表示２５が、ワールドカップに参加しているさまざまな国を表している。表示２５を、たとえば、さまざまな国の国旗などの記号に置き換えることも考えることができることに注意されたい。
【００３５】
　文字盤２４は好ましくは、国を表す表示２５に向き合わせて円に沿って配置された固定インジケータ手段２６も備えている。これらのインジケータ手段は、たとえば、図面に白矢印及び黒矢印として示された発光ダイオードすなわちＬＥＤにすることができる。白矢印は、対応の発光ダイオードがオフである、すなわち消勢されていることを表し、黒矢印は、対応の発光ダイオードがオンである、すなわち励起されていることを表しており、また、点で囲まれた白矢印と黒矢印は、同時にプレーしている、特に２試合が同時に行われている時の、異なったチーム名を交互に表示できるように、対応の発光ダイオードが点滅していることを表している。
【００３６】
　文字盤２４はさらに、たとえば、代表チームが競技から敗退した国などの不必要になった非時間関連表示２５をマスクする手段を備えている。表示２５をマスクする手段は好ましくは、時計２１の文字盤２４と図示しないガラス蓋との間に配置された反射液晶セルを含む。このセルは、適切にアドレス指定されたセグメント２８を有する。表示２５に示された国の代表チームが敗退したか否かに応じて、それぞれ反射セグメント２８を制御して、光を透過させて残っている国を見えるようにするか、光を透過させないで、国をマスクすることができる。
【００３７】
　文字盤２４はさらに、競技のプレー状態や、進行中の試合の場所などの情報を提供するデジタルディスプレイ手段２７を備えることができる。
【００３８】
　さらに、時計は、すでに行われている試合の結果などのデータを入力する操作部材３０を備えて、時計メモリ内に記憶されている複数のイベントに関するデータを更新できるようにしている。また、データを直接的に広域コンピュータネットワークの特定サイトからダウンロードすることも可能である。
【００３９】
　図５は、本発明に従った第３実施形態を示しており、ここでは複数の予定イベントが、選択可能な一定数の国の年間のさまざまな祝祭日に関するものである。この複数の予定イベントに関するデータは、時計メモリに事前プログラムされるか、ダウンロードされる。
【００４０】
　時計２１は、アナログディスプレイ手段２２及び／または、たとえば、ＬＣＤ形式のデジタルディスプレイ手段２３を含む時間インジケータ手段を備えている。好ましくはさらに、時計文字盤２４の周縁部に反射液晶セルが配置されている。このセルは、メモリ内に記憶されたデータに応じて、複数のイベントに関する同様な非時間関連表示及び／または記号２５(図示しない)を表示することができる、適切にアドレス指定されたセグメント２８を有する。この第３実施形態では、表示２５は、欧州特許協定の加盟国に対応した２文字のコードを表している。セグメント２８が光を透過する時、それらは２文字コードを表示し、光を透過しない時、これらのコードをマスクする。
【００４１】
　変更例として、文字盤の上方、特に文字盤の周縁部の上方に配置された液晶ディスプレイスクリーンを使用して、光を透過させる区域、そこに表示すべき表示を見えるようにする区域と、光を透過させない区域、そこに対応した表示をマスクする区域とを定めることもできる。
【００４２】
　図６に示された本発明の好都合な第４実施形態によれば、複数の予定イベントに関する同様な非時間関連表示及び／または記号２５が時計２１の文字盤２４上ではなく、ベゼル３１上に配置されている。好ましくは、取り外し式ベゼルを使用して、新しい複数の予定イベントの再プログラミング中またはダウンロード中に、表示及び／または記号２５を変更できるようにする。実際に、時計を交換するか、文字盤を交換する代わりに、ベゼル３１を交換するだけでこれらの表示または記号２５を変更できるか、液晶セルで表示することができるプログラマブル表示または記号を時計に備えることができれば、好都合であると共に、非常に経済的である。交換中に新しい取り外し式ベゼルを適切に位置決めできるように、時計ケースにフールプルーフ装置、たとえば、三角マーク３２を付けて、新しいベゼル上の同様のマーク３３をそれに対応させることがわかるであろう。また、進行中のイベントに対応した種目競技を特定するために、デジタルディスプレイ手段２３を使用することができることにも注意されたい。
【００４３】
　最後になるが、いずれの実施形態においても、関係する複数のイベントのうちの進行中のイベントを表示するのは、連続的でも、あるいは、エネルギ節約のために、押しボタン、竜頭、接触ガラス蓋などの形式である操作部材を作動させた後だけでもよいことに注意することが重要である。
【００４４】
　さらに、イベントまでのカウントダウンや、予定イベントの問い合わせなどの追加機能を組み合わせることもできる。
【００４５】
　添付の特許請求の範囲によって定義された本発明の範囲から逸脱することなく、以上の特徴、特に時間及び非時間関連インジケータ手段のあらゆる組み合わせが可能であることに注意することも重要である。
【図面の簡単な説明】
【００４６】
【図１】従来技術に従った「フォーミュラ・ワン」時計を示す。
【図２】本発明の好適な実施形態に従った時計の概略図である。
【図３Ａ】本発明の第１実施形態に従った第１及び第２例による時計を示す。
【図３Ｂ】本発明の第１実施形態に従った第１及び第２例による時計を示す。
【図４】本発明の第２実施形態に従った時計を示す。
【図５】本発明の第３実施形態に従った時計を示す。
【図６】本発明の第４実施形態に従った時計を示す。
【符号の説明】
【００４７】
　１　時間基準部、　４　液晶ディスプレイ、　５　アナログディスプレイ、　１１、２５　非時間関連表示／記号、　６　制御回路、　７　メモリ、　８　比較手段、　１０　インジケータ手段、　２２　針、　２３　時間インジケータ手段、　２６　固定インジケータ手段、　２８　アドレス指定セグメント
【図１】
2004061513.tif 000003
【図２】
2004061513.tif 000004
【図３Ａ】
2004061513.tif 000005
【図３Ｂ】
2004061513.tif 000006
【図４】
2004061513.tif 000007
【図５】
2004061513.tif 000008
【図６】
2004061513.tif 000009